(57)【要約】  本発明によるねじ接続部は、互いに組み込まれた第１および第２の管状部材を備える。第１の部材の雄型要素は、その外周面に、最小厚さＥｐｏを有する内側リング部（１１）を含む雄型内側リップ部と、雄ねじ領域（１３）であって、該雄ねじ領域の一方の内側端部が雄型遠位端部から非ゼロの軸方向距離（Ｌｉ）に配置される雄ねじ領域（１３）とを備える。第２の部材の雌型要素は、その内周面にわたって、雄型内側リップ部に対向するように配置された雌型内側凹部（２４）と、雌ねじ領域（２３）とを順に備える。接続部の組立位置において、接続部が１０％≦Ｅｐｉ／Ｌｉを満たすように、雄型内側リング部と雌型内側凹部との間に半径方向の隙間が形成され、雄型内側リップ部と雌型内側凹部との間に内側シール部（Ｅｉ）が局所的に形成される。【選択図】図１
2020514633.tif 000002
【特許請求の範囲】
【請求項１】
互いに組み込まれた第１および第２の管状部材を備えるねじ接続部であって、
前記第１の部材（Ｃ１）は、第１の管（１０）と、該第１の管の一方の端部に配置された雄型要素と、を備え、前記雄型要素は、その外周面にわたって、
・  雄型遠位面（１７）と、
・  最小厚さＥｐｉを有する内側リング部（１１）を含む雄型内側リップ部と、
・  雄ねじ領域（１３）であって、該雄ねじ領域の一方の内側端部が前記雄型遠位面から非ゼロの軸方向距離（Ｌｉ）に配置される雄ねじ領域（１３）と、
・  雄型外側凹部（３４）と、
・  雄型外側当接面を形成可能な外側肩部（３７）と、
を順に備え、
前記第２の部材（Ｃ２）は、第２の管（２０）と、該第２の管の一方の端部に配置された雌型要素と、を備え、前記雌型要素は、その内周面わたって、
・  内側肩部（２８）と、
・  前記雄型内側リップ部に対向するように配置された雌型内側凹部（２４）と、
・  雌ねじ領域（２３）と、
・  最小厚さＥｐｅを有する外側リング部（２１）を含む雌型外側リップ部と、
・  当接動作によって前記雄型外側当接面と協動可能且つ前記雌ねじ領域の一方の外側端部から非ゼロの軸方向距離（Ｌｅ）に配置される雌型遠位面（４２）と、
を順に備え、
前記接続部の組立位置において、前記接続部が
１０％≦Ｅｐｉ／Ｌｉ
を満たすように、前記雄型内側リング部と前記雌型内側凹部との間に半径方向の隙間が形成され、前記雌型外側リング部と前記雄型外側凹部との間に半径方向の隙間が形成され、前記雄型内側リップ部と前記雌型内側凹部との間に内側シール部（Ｅｉ）が局所的に形成される、
ねじ接続部。
【請求項２】
前記第１の部材および前記第２の部材のいずれか一方が、対応する前記雄型要素および／または前記雌型要素からの距離で測定される管の呼び外径を有し、該管の呼び径は、２００ｍｍより大きく、好ましくは２５０ｍｍより大きく、この場合、前記接続部は、
２５％≦Ｅｐｉ／Ｌｉ
を満たすことを特徴とする、
請求項１に記載のねじ接続部。
【請求項３】
前記接続部は、
１０％≦Ｅｐｅ／Ｌｅ
を満たすことを特徴とする、
請求項１または２に記載のねじ接続部。
【請求項４】
前記接続部は、
１５％≦Ｅｐｅ／Ｌｅ、
好ましくは２０％≦Ｅｐｅ／Ｌｅ
を満たすことを特徴とする、
請求項１〜３のいずれか１項に記載のねじ接続部。
【請求項５】
前記接続部は、
Ｅｐｉ／Ｌｉ≦８０％、
好ましくはＥｐｉ／Ｌｉ≦６０％、
より好ましくはＥｐｉ／Ｌｉ≦５０％
を満たすことを特徴とする、
請求項１〜４のいずれか１項に記載のねじ接続部。
【請求項６】
前記接続部は、
Ｅｐｅ／Ｌｅ≦８０％、
好ましくはＥｐｅ／Ｌｅ≦６０％、
より好ましくはＥｐｅ／Ｌｅ≦５０％
を満たすことを特徴とする、
請求項１〜５のいずれか１項に記載のねじ接続部。
【請求項７】
前記接続部は、
１５ｍｍ≦Ｌｉ≦２５ｍｍ
を満たすことを特徴とする、
請求項１〜６のいずれか１項に記載のねじ接続部。
【請求項８】
前記接続部は、
１５ｍｍ≦Ｌｅ≦２５ｍｍ
を満たすことを特徴とする、
請求項１〜７のいずれか１項に記載のねじ接続部。
【請求項９】
前記ねじ領域（１３，２３）は、幅が増加する雄ねじおよび雌ねじをそれぞれ備え、前記雄ねじおよび前記雌ねじは、負の角度を有するロードフランクと、正の角度を有するスタブフランクと、を備え、接続された状態において、前記雄ねじの山頂と前記雌ねじの谷底との間、および／または前記雌ねじの山頂と前記雄ねじの谷底との間に半径方向の隙間が形成され、前記接続された状態において、前記雄ねじおよび前記雌ねじのそれぞれの前記スタブフランクの間に軸方向の隙間が形成されることを特徴とする、
請求項１〜８のいずれか１項に記載のねじ接続部。
【請求項１０】
前記雄型外側当接面（３７）は、前記接続部の縦軸に垂直な線に対して正の角度αを有し、前記雌型外側当接面（４２）は、同じ角度αを有し、前記角度αは、５度〜４５度の範囲にあることを特徴とする、
請求項１〜９のいずれか１項に記載のねじ接続部。
【請求項１１】
前記接続された状態において、前記雄型端部の内側当接面（１７）は、前記雌型端部の内側当接面（２８）に接触しないことを特徴とする、
請求項１〜１０のいずれか１項に記載のねじ接続部。
【請求項１２】
前記接続された状態において、前記雄型端部の外側当接面（３７）は、前記雌型端部の外側当接面（４２）に当接することを特徴とする、
請求項１〜１１のいずれか１項に記載のねじ接続部。
【請求項１３】
前記内側シール部（Ｅｉ）は、前記雌型要素に設けられた対応する雌型内側シール面（２６）に干渉・接触可能な雄型内側シール面（１５）を備えることを特徴とする、
請求項１〜１２のいずれか１項に記載のねじ接続部。
【請求項１４】
前記雌型内側シール面（２６）は、円筒状面、および／または２度〜１５度の範囲の円錐部半角を有するテーパ面である、
請求項１３に記載のねじ接続部。
【請求項１５】
前記雄型内側シール面（１５）は、１０ｍｍ〜８０ｍｍの範囲の半径を有する円環状面、または２度〜１５度の範囲の円錐部半角を有するテーパ面であり、前記雄型内側シール面に垂直な方向における最大厚さ（Ｅｓｐ）は、前記内側リング部の厚さ（Ｅｐｉ）より大きい、
請求項１３または１４に記載のねじ接続部。
【請求項１６】
外側シール部をさらに備え、該外側シール部は、雄型外側シール面（３６）と、前記雌型要素に設けられた対応する雌型外側シール面（４４）と間の干渉によって得られることを特徴とする、
請求項１〜１５のいずれか１項に記載のねじ接続部。
【請求項１７】
前記雄型外側シール面（３６）は、１０ｍｍ〜１５０ｍｍの範囲の半径を有する円環状面、または２度〜１５度の範囲の円錐部半角を有するテーパ面である、
請求項１６に記載のねじ接続部。
【請求項１８】
前記雌型外側シール面（４４）は、円環状面、または２度〜１５度の範囲の円錐部半角を有するテーパ面であり、前記雌型外側シール面に垂直な方向における最大厚さ（Ｅｓｂ）は、前記外側リング部の厚さ（Ｅｐｅ）より大きい、
請求項１６または１７に記載のねじ接続部。
【請求項１９】
検査機器または掘削用機器の挿入または取出しを容易にするために、前記内側当接部（１７）の下部が、前記接続部の縦軸に対して負の角度βを含む面取り部（１２）を有する、
請求項１〜１８のいずれか１項に記載のねじ接続部。
【請求項２０】
前記負の角度βは、−２０度〜−３０度の範囲にある、
請求項１９に記載のねじ接続部。
【請求項２１】
前記雌型要素の最大外径は、前記第２の管の呼び外径に対して１００．２％〜１０１％の範囲にある、
請求項１〜２０のいずれか１項に記載のねじ接続部。
【請求項２２】
前記雄型要素の最小内径は、前記第１の管の呼び内径より小さい、
請求項１〜２１のいずれか１項に記載のねじ接続部。
【発明の詳細な説明】
【技術分野】
【０００１】
本発明は、特に炭化水素井を掘削または稼働するのに用いられる管状部材同士のシール接続の分野に関する。掘削中または稼働中に、接続部は大きな圧縮負荷および引張負荷を受けるが、それによって接続部が分解されることを防ぐ必要がある。
【背景技術】
【０００２】
これらの接続部は、軸方向の引張負荷または圧縮負荷、内外の流体圧力、屈曲または捻れ、または場合によってはこれらの組み合わせと、変動する強度とにさらされる。負荷や過酷な現場での使用条件に関係なく、気密性は確保されなければならない。そのため、ねじ接続部は、特に摩耗による性能低下を引き起こすことなく、組立および分解を複数回行うことができる必要がある。分解後の管状部材は、他の使用条件下で再利用することができる。
【０００３】
引張下において、ジャンプアウトという飛び出し現象が生じて１つのねじから別のねじへ広がり、接続部の意図しない分離を促す可能性がある。この現象は、高い内部圧力によって促進される。
【発明の概要】
【発明が解決しようとする課題】
【０００４】
これに関して、仏国特許出願第２９５２９９３号には、第１および第２の管状部材を備えるねじ接続部が開示されている。第１の部材は、その外周面に、遠位面および雄ねじ領域を含む雄型端部を備える。第２の部材は、その内周面に、遠位面および雌ねじ領域を含む雌型端部を備える。雄ねじ領域は、雌ねじ領域内に組み込まれる。これらのねじ領域は、遠位面側から幅が増加するねじをそれぞれ備える。ねじは、その半径方向寸法の少なくとも一部にわたって負の角度を有するロードフランクと、スタブフランクとをそれぞれ備える。接続された状態において、雄ねじの山頂と雌ねじの谷底との間、および／または雌ねじの山頂と雄ねじの谷底との間に、半径方向の隙間が形成される。さらに、接続された状態において、雌ねじおよび雄ねじのそれぞれのスタブフランクの間に軸方向の隙間が形成される。このタイプの接続部において、雄型端部および／または雌型端部の遠位面は、対応する当接面に対して軸方向に当接する。この解決策は、引張強度を向上させるために用いることができるが、高い外部圧力と高い内部圧力に対抗するその構造的性能は、シールリップ部を大きく屈曲させるという結果をもたらす。高い外部圧力と高い内部圧力との間で負荷が変動する場合、気密性を向上させる必要がある。
【０００５】
さらに、検査機器または掘削用機器を、上述した発明による管からなるストリング内に挿入するときまたはストリング内から取り出すときに、組み立てられた管の一方から他方へ機器が通過すると、様々な問題を引き起こす。
【０００６】
本発明は、従来技術の解決策と比較して、曲げ応力における接続部の気密性を向上させるために用いられてもよい。
【課題を解決するための手段】
【０００７】
本発明は、互いに組み込まれた第１および第２の管状部材を備えるねじ接続部に関する。第１の部材は、第１の管と、該第１の管の一方の端部に配置された雄型要素とを備え、雄型要素は、その外周面にわたって、
・  雄型遠位面と、
・  最小厚さＥｐｉを有する内側リング部を含む雄型内側リップ部と、
・  雄ねじ領域であって、該雄ねじ領域の一方の内側端部が雄型遠位面から非ゼロの軸方向距離Ｌｉに配置される雄ねじ領域と、
・  雄型外側凹部と、
・  雄型外側当接面を形成する外側肩部と、
を順に備える。第２の部材は、第２の管と、該第２の管の一方の端部に配置された雌型要素とを備え、雌型要素は、その内周面にわたって、
・  内側肩部と、
・  雄型内側リップ部に対向するように配置された雌型内側凹部と、
・  雌ねじ領域と、
・  最小厚さＥｐｅを有する外側リング部を含む雌型外側リップ部と、
・  当接動作によって雄型外側当接面と協動可能且つ雌ねじ領域の一方の外側端部から非ゼロの軸方向距離Ｌｅに配置される雌型遠位面と、
を順に備える。接続部の組立位置において、接続部が、
１０％≦Ｅｐｉ／Ｌｉ
を満たすように、雄型内側リング部と雌型内側凹部との間に半径方向の隙間が形成され、雌型外側リング部と雄型外側凹部との間に半径方向の隙間が形成され、雄型内側リップ部と雌型内側凹部との間に内側シール部が局所的に形成される。
【０００８】
特に、Ｅｐｉ／Ｌｉの比は、第１の管の呼び外径の関数として微調整される。この呼び外径は、雄型要素からの距離で測定される。管の呼び外径は、２００ｍｍより大きく、好ましくは２５０ｍｍより大きい。この場合、接続部は、
２５％≦Ｅｐｉ／Ｌｉ
を満たす。
【０００９】
同様に、本発明による接続部は、例えば、雌型外側リップ部と雄型外側凹部との間に局所的に形成される外側シール部に関して最適化されてもよい。この場合、接続部は、
１０％≦Ｅｐｅ／Ｌｅ
を満たす。
【００１０】
Ｅｐｅ／Ｌｅの比は、好ましくはその比が１５％以上、より好ましくは２０％以上となるように選択される。
【００１１】
本発明をより明確に定義するために、Ｅｐｉ／Ｌｉの比は、最大８０％であればよく、好ましくは６０％以下、実質的に５０％以下である。
【００１２】
同様に、Ｅｐｅ／Ｌｅの比は、最大８０％であればよく、好ましくは６０％以下、実質的に５０％以下である。
【００１３】
特に、雄ねじ領域、すなわち雄ねじ領域の内側加工端と、雄型遠位面との間の距離Ｌｉは、１５ｍｍ〜２５ｍｍの範囲であればよい。距離Ｌｉは、雄型内側リップ部の軸方向長さを示す。同様に、雌型遠位面と、雌ねじ領域の外側加工端との間の距離Ｌｅは、１５ｍｍ〜２５ｍｍの範囲であればよい。距離Ｌｅは、雌型外側リップ部の軸方向長さを示す。軸方向の測定は、管の縦軸（長手方向の軸）に沿って行われる。接続部が組み立てられると、接続部の縦軸は、第１および第２の管の縦軸に統合される。
【００１４】
好ましくは、ねじ領域は、幅が増加する雄ねじおよび雌ねじをそれぞれ備える。これらのねじは、負の角度を有するロードフランクと、正の角度を有するスタブフランクとを備える。接続された状態において、雄ねじの山頂と雌ねじの谷底との間、および／または雌ねじの山頂と雄ねじの谷底との間に半径方向の隙間が形成される。さらに、接続された状態において、雄ねじおよび雌ねじのそれぞれのスタブフランクの間に軸方向の隙間が形成される。
【００１５】
好ましくは、雄型外側当接面は、接続部の縦軸に垂直な線に対して角度αを有する。これにより、雄型外側当接面とその次の雄型面との間に鋭角が形成される。相補的に、雌型遠位面は、同じ角度αを有してもよい。角度αは、５度〜４５度の範囲であればよい。
【００１６】
好ましくは、ロードフランクは、−１度〜−１５度の範囲の角度を有する。
【００１７】
好ましくは、スタブフランクは、１度〜１５度の範囲の角度を有する。
【００１８】
慣例により、また本明細書における一般的な定義として、ねじの山頂側にあるフランクの一方の端部がねじの谷底にある該フランクの他方の端部を超えている場合、フランクの角度は負の記号で示され、逆の場合（超えていない場合）、正の記号で示される。
【００１９】
好ましくは、接続された状態において、雄型遠位面は、雌型要素の内側肩部に接触しない。
【００２０】
好ましくは、接続された状態において、雄型外側当接面は、雌型遠位面に当接する。
【００２１】
好ましくは、内側シール部は、雄型内側シール面と、雌型要素の雌型内側凹部に設けられた対応する雌型内側シール面との間の半径方向の干渉によって得られる。特に、Ｅｐｉ／Ｌｉの比が小さすぎる場合、内側リング部の剛性が低すぎて内側シール部の安定性を低下させる。本発明によれば、Ｅｐｉ／Ｌｉの比を１０％より大きくする必要がある。雄型内側シール面に損傷を与えることなくねじ部の機械加工を容易にするために、寸法Ｌｉは、特に１５ｍｍを超えるように選択されてもよい。
【００２２】
好ましくは、雄型内側シール面は、円筒状面またはテーパ面であるか、テーパ部分に隣接する円筒部分から実質的に構成される。雄型内側シール面のテーパ部分の円錐部半角は、２度〜１５度の範囲であればよい。好ましくは、雌型内側シール面は、１０ｍｍ〜８０ｍｍの範囲の半径を有する円環状面、または２度〜１５度の範囲の円錐部半角を有するテーパ面である。雄型内側シール面に垂直な方向における最大厚さＥｓｐは、内側リング部の厚さＥｐｉより大きい。このタイプの構成は、雄型および雌型内側シール面の間のそれぞれの干渉領域における剛性を向上させる。
【００２３】
例えば、Ｅｐｉ／Ｅｓｐの比は、１．０５以上、より好ましくは１．１以上である。
【００２４】
好ましくは、外側シール部は、雄型外側凹部の雄型外側シール面と、雌型要素の雌型外側リップ部に設けられた対応する雌型外側シール面との間の半径方向の干渉によって得られる。特に、Ｅｐｅ／Ｌｅの比が小さすぎる場合、外側リング部の剛性が低すぎて外側シール部の安定性を低下させる。本発明によれば、Ｅｐｅ／Ｌｅの比を１０％より大きくする必要がある。雌型外側シール面に損傷を与えることなく雌ねじ部の機械加工を容易にするために、寸法Ｌｅは、特に１５ｍｍを超えるように選択されてもよい。
【００２５】
好ましくは、雄型外側シール面は、１０ｍｍ〜１５０ｍｍの範囲の半径を有する円環状面、または２度〜１５度の範囲の円錐部半角を有するテーパ面である。
【００２６】
好ましくは、雌型外側シール面は、円環状面、または２度〜１５度の範囲の円錐部半径を有するテーパ面であり、雌型外側シール面に垂直な方向における最大厚さＥｓｂは、外側リング部の厚さＥｐｅより大きい。
【００２７】
例えば、Ｅｐｅ／Ｅｓｂの比は、１．０５以上、より好ましくは１．１以上である。
【００２８】
このタイプの構成は、雄型および雌型外側シール面の間で干渉が生じる領域における剛性を向上させる。
【００２９】
本発明によるＥｐｅ／ＬｅおよびＥｐｉ／Ｌｉの比は、気密性の安定性を確保するために最適化されている。
【００３０】
好ましくは、雄型要素は、その内周に、雄型遠位端部に繋がる面取り部を有する。検査機器または掘削用機器の挿入や取出しを容易にするために、面取り部は、接続部の縦軸に直交する平面に対して角度βを有すればよい。好ましくは、角度βは、２０度〜３０度の範囲にある。
【００３１】
好ましくは、雌型要素の最大外径は、第２の管の呼び外径に対して１００％〜１０３％（一部同一平面）、より好ましくは１００．２％〜１０１％（同一平面）の範囲にある。
【００３２】
好ましくは、雄型要素の最小内径は、第１の管の呼び内径より小さい。
【図面の簡単な説明】
【００３３】
本発明のさらなる特徴および利点は、添付の図面を参照して、以下の詳細な説明から明らかになるであろう。
【図１】接続された第１のねじ接続部の全体の断面を示す原理図である。
【図２】図１の本発明によるねじ接続部の拡大詳細部Ａを示す原理図である。
【図３】図１の本発明によるねじ接続部の拡大詳細部Ｂを示す原理図である。
【図４】本発明による接続部を示す概略図である。
【図５】図４の詳細部Ａ１を示す概略図である。
【図６】図４の詳細部Ｂ１を示す概略図である。
【図７】本発明の第１の実施の形態による接続部の雄型要素を示す図である。
【図８】本発明の第２の実施の形態による接続部の雄型要素を示す図である。
【発明を実施するための形態】
【００３４】
図１および図３の原理図は、本発明による接続部の雄型および雌型要素の領域における干渉していない状態を示す。これらの原理図において、干渉・接触するよう意図された部分は、部分的に重なり合っている。この場合、干渉する部分は、内側および外側シール面である。図示する重なり合う領域には、異なるハッチングを使用する。このハッチングによって、要素間の直径の差を認識することができる。このハッチング領域において、雄型要素の一部の外径は、雌型要素の対応する部分の内径より大きい。ハッチング領域における半径方向の厚さは、ミリメートル単位で測定され、シール面に垂直な方向における半径方向の干渉の値を示す。これらの原理図において、ねじ領域の詳細は図示しない。
【００３５】
図１〜図３は、本発明による接続部を形成する雄型および雌型要素の設計によって相互貫入が生じた際の半径方向の高さをより概略的に理解できるよう提供される。
【００３６】
実際、雄型および雌型要素の部材は、相互貫入するというより、金属−金属シールと呼ばれる密着した領域を局所的に形成することは明らかであろう。
【００３７】
これに関して、図４は、最終的な組立位置における、本発明による接続部を示す概略図である。図４におけるグレーの濃淡は、最終的な組立位置における本発明による接続部において観察された負荷に関する有限要素解析の結果を示す。最も濃い領域は、負荷が最も大きかった領域である。
【００３８】
図５は、接続部の最終的な組立位置における、図４の詳細部Ａ１を示す概略図である。
【００３９】
図６は、接続部の最終的な組立位置における、図４の詳細部Ｂ１を示す概略図である。
【００４０】
図７は、雄型遠位端部の近傍に位置する、本発明の第１の実施の形態による接続部の雄型要素を示す図である。
【００４１】
図８は、雄型遠位端部の近傍に位置する、本発明の第２の実施の形態による接続部の雄型要素を示す図である。
【００４２】
添付の図面は、本発明を構成するのに役立つだけでなく、本発明の定義にも適宜使用することができる。図示する構成要素は管および接続部の軸に対して対照であるため、本願のすべての図面においてこれらを半平面で示す。
【００４３】
接続部を改善するために、本出願人は、ＡＰＩ規格に優るプレミアム接続として知られる高品質の接続部を開発した。これにより、部材の組立中に締付け接触される複数のシール面をねじ領域の近傍に設けることができる。特に、これらの面は、半径方向の干渉を生じさせることができるよう選択される。
【００４４】
したがって、高圧下での流体（液体および気体）に対する気密性は、シール面の互いへの半径方向の締付けによる接触から生じる。半径方向の締付け強度は、雄ねじ領域と雌ねじ領域との相対的な軸方向の位置決めの関数である。この相対的な位置決めは、雄型および雌型要素に設けられたそれぞれの当接面を当接させることで決定され得る。
【００４５】
好ましくは、雄型および雌型外側当接部のみが、本発明による接続部内で互いに接触する。
【００４６】
本発明による接続部の内側と外側との間の流体（周囲圧力および大気圧における液体および気体）の流れを防止するために、シール面を用いることができる。
【００４７】
図１は、雄ねじ要素１を有する管状部材Ｃ１と、雌ねじ要素２が設けられた管状部材Ｃ２との組立てによって形成された本発明による接続部を示す。接続部は、内側シール部Ｅｉと、外側シール部Ｅｅとを備える。
【００４８】
管状部材Ｃ１およびＣ２は、それぞれ管１０および２０を備える。本発明による接続部を形成するよう意図された雌型要素および雄型要素が、これらの管の端部に配置される。雄ねじ要素１は、第１の管１０の一方の端部に配置される。雌ねじ要素２は、第２の管２０の一方の端部に配置される。管１０および２０は、数メートルの長さを有してもよく、例えば、１０メートル〜１５メートル程度の長さを有してもよい。一方の端部に雄ねじ要素および他方の端部に雌ねじ要素を有する長い管が設けられてもよい。しかしながら、本発明は、両方の端部に雌ねじ要素を有する短い管を備える結合部を用いた接続部にも適用され得ることは言うまでもない。
【００４９】
本発明による接続部は、炭化水素井用のケーシングストリング、チュービングストリング、改修ライザーまたはドリルストリングを構成するために用いられてもよい。
【００５０】
管は、好ましくは鋼製である。実際、例えば機械的負荷のレベルや管の内側または外側の流体の腐食性等の使用条件に応じて、非合金、低合金または高合金などの異なるグレードの鋼や、鉄合金または非鉄合金鋼から製造されてもよく、熱処理または加工によって硬化されてもよい。また、例えば耐食合金または合成材料からなる保護皮膜で被覆された、低耐食性を有する鋼管を用いることもできる。
【００５１】
図１において、雌ねじ要素２は、雌ねじ領域２３を備える。雌ねじ領域２３は、例えば０．５度〜３度、好ましくは１度〜３度の範囲の円錐部半角を有するテーパ領域である。雌ねじ領域２３は、雌型要素２の内側に配置される。雄ねじ要素１は、雄型端部１の外面に配置された雄ねじ領域１３を備える。雄ねじ領域１３は、雌ねじ２３と係合する。雄ねじ領域１３は、雌ねじ領域２３と実質的に同じ円錐角を有する。
【００５２】
雄ねじ要素１
雄ねじ領域１３は、雄型内側リップ部として自由遠位端部１７に向けて延在する。雄型内側リップ部の外面の一方の側が、雄ねじ領域１３の内側端部によって画定され、他方の側が、自由遠位端部１７によって画定される。自由遠位端部１７は、部材Ｃ１の縦軸に対して実質的に放射状に延在する。
【００５３】
すなわち、雄型内側リップ部は、図２および図５に示すように、雄ねじ領域１３から自由遠位端部１７に向けて、
・  雄ねじ領域１３に隣接する第１の面１１と、
・  第１の面１１に隣接する雄型の第１の終端部と、
を順に備える。また、雄型の第１の終端部は、
・  自由遠位端部１７に向けて増加する直径および５度〜３０度の範囲の円錐部半角を有する第１のテーパ面１２と、
・  ０．４ｍｍ〜１．４ｍｍの範囲の凸状半径を有するフィレット部１４と、
・  雄型内側シール面１５と、
・  ０．４ｍｍ〜１ｍｍの範囲の凸状半径を有し、自由遠位端部１７に隣接する第２のフィレット部１６と、
を順に備える。
【００５４】
図５および図７において、雄型内側シール面１５は、雄型自由端部に向けて減少する直径を有するテーパ面である。特に、テーパ状のシール面は、２度〜１５度、より好ましくは４度〜８度の範囲の半角を有する。代替的に、雄型内側シール面１５は、円筒状面、または１０ｍｍ〜８０ｍｍの範囲の凸状半径を有する実質的に円環状面であってもよい。
【００５５】
変形例において、雄型内側シール面１５は、図８に示すように複雑な形状を有してもよい。複雑な形状を有する雄型内側シール面１５は、第１のフィレット部１４に繋がる円筒部１５ａと、雄型自由端部１７に向けて第２のフィレット部１６まで減少する直径を有するテーパ部１５ｂとから構成される。円筒部１５ａとテーパ部１５ｂは、互いに隣接する。テーパ部１５ｂの半角は、２度〜１５度、より好ましくは７．５度〜１０度の範囲にある。例えば、管の呼び外径が３５５．６ｍｍ（１４インチ）未満である管状部材において、雄型シール面１５は複雑な形状となる。
【００５６】
雄型内側リップ部は、部材Ｃ１およびＣ２の縦軸に沿って軸方向に測定される長さＬｉを有する。長さＬｉは、雄ねじ領域１３と雄型自由遠位面１７の頂点との間で測定される最小距離である。雄ねじ領域１３を形成するための螺旋形の機械加工は、図２、図５、図７および図８に示す進入部５１から開始される。進入部５１は、第１の面１１の雄ねじ領域１３を画定する。遠位面１７の側方に位置する進入部５１は、雄ねじ領域１３の内側端部を構成する。リップ部の長さＬｉは、進入部５１と遠位面１７の頂点との間で測定される。
【００５７】
第１の面１１は、内側リング部を画定する。内側リング部は、円筒形であり得る。図示する一例において、第１の面１１は、部材Ｃ１およびＣ２の軸ならびに接続部の縦軸に平行な母線を有する。
【００５８】
したがって、第１の面１１に垂直な方向における内側リング部の壁厚Ｅｐｉは、第１の面１１の全体に沿って一定である。これは、第１の面１１を画定することができることを意味する。
【００５９】
一定の厚さＥｐｉを有する部分は、長さＬｉの少なくとも３分の１にわたって、より好ましくは長さＬｉの少なくとも４５％にわたって、軸方向に距離Ｇｌｉを画定する。
【００６０】
代替的に、内側リング部が円筒形でない場合、本発明に従って考慮されるパラメータＥｐｉは、ねじ領域１３と雄型内側シール面１５との間における最小壁厚となる。
【００６１】
特に、厚さＥｐｉは、雄型内側シール面１５に垂直な方向における半径方向の厚さＥｓｐより小さい。
【００６２】
任意選択的に、面取り部１８は、雄型自由遠位面１７に対して角度βを有する。角度βは、２０度〜３０度の範囲にある。したがって、面取り部１８は、自由遠位端部１７に向けて、すなわち雄型当接面に向けて増加する直径を含むテーパ形状を有する。組み立て・接続された複数の管からなるストリング内に、本発明による管よりも小さいがそれに近い直径を有する検査機器または掘削用機器を挿入するために、面取り部１８を用いることができる。挿入が容易になることで、接続部での引っ掛かりを回避することができる。また、機器の取出しも容易になる。
【００６３】
直径の差と面取り部とを有するこの構成によって、耐屈曲性を向上させるのに用いられる「突起」とも呼ばれる余分な厚さによる管の一方の端部への引っ掛かりを回避して、検査機器または掘削用機器を管の内部に挿入することができる。
【００６４】
さらに、図３および図６に示すように、雄ねじ要素１は、その外周に、管１０の本体に向けて雄ねじ領域１３から延在する部分において、雄型外側凹部を備える。雄型外側凹部は、第２の面３４を備える。第２の面３４は、雄ねじ領域１３に直接隣接している場合がある。
【００６５】
第２の面３４は、外側の第２の終端部として管１０の本体に向けて延在する。図３および図６に示すように、外側の第２の終端部は、
・  第２の面３４と第２のテーパ面３５との間に位置し、凹状半径部を形成することができる第１のフィレット部３８と、
・  管１０の本体に向けて増加する直径および５度〜４５の範囲の円錐部半角を有するテーパ面３５と、
・  １ｍｍ〜８ｍｍの範囲の凸状半径を有する第２のフィレット部３９（半径は、なくても工具を取り出せる場合、省略できる）と、
・  １０ｍｍ〜１５０ｍｍの範囲の半径を有する円環状面、または外側当接部２２に向けて増加する直径および２度〜１５度の範囲の円錐部半角を有するテーパ面である雄型外側シール面３６と、
・  凹状半径部を有し、外側当接面３７に隣接する末端フィレット部４０と、
を順に備える。
【００６６】
外側当接面３７は、接続部の縦軸に垂直な線に対して正の角度αを有する。正の角度は、三角法に基づく方向、すなわち時計回りの方向に向けられる。正の角度αは、５度〜４５度の範囲にある。末端フィレット部４０は、雄型外側シール面３６と雄型外側当接面３７との間に鋭角が形成されるように、角張った円弧形状を有する。
【００６７】
雌ねじ要素２
雌ねじ要素２は、その内周に、対応する雄ねじ要素１３と組み立てられるよう意図されたねじ領域２３を備え、ねじ領域２３の両側には、以下に説明する構成が設けられる。
【００６８】
図２において、雌ねじ要素は、雄型内側リップ部に対向する雌型内側凹部を備える。雌型内側凹部は、雌ねじ領域２３から内側肩部２８に向けて、
・  雌型の第１の面２４と、
・  雌型の第１の終端部と、
を順に備える。雌型の第１の終端部は、
・  ０．８ｍｍ〜１０ｍｍの範囲の凸状半径を有する、第１の面２４に対するフィレット部２５と、
・  １０ｍｍ〜８０ｍｍの範囲の半径を有する円環状面、または内側当接部２８に向けて減少する直径および２度〜１５度の範囲の円錐部半角を有するテーパ面であり、対応する雄型内側シール面１５に干渉・接触することができ、雄型内側シール面１５と同じ円錐角を有する場合がある雌型内側シール面２６と、
・  ０．４ｍｍ〜２ｍｍの範囲の凹部半径を有し、雌型内側シール面２６と内側肩部２８とを繋ぐフィレット部２７と、
を順に備える。
【００６９】
本発明の好適な実施の形態において、雌型内側シール面２６はテーパ面である。
【００７０】
好ましくは、内側肩部２８は、接続部の縦軸に対して放射状に延在する。
【００７１】
しかしながら、図１および図２に示す実施の形態における接続された状態において、内側肩部２８と雄型自由遠位面１７との間に軸方向の隙間が形成される。したがって、接続された状態において、２つの面１７および２８は互いに接触しない。接続部が圧縮を受けると、面１７および２８に圧縮負荷が加わって、リップ部がより屈曲されるが、上記面は、この内側リップ部での当接を回避させる効果をもたらす。また、ねじに巻き込まれたグリースを収容するレリーフを形成するために、接続された状態において、第１の面１１および２４の間に半径方向の隙間が形成されることにも留意されたい。
【００７２】
フィレット部２５がなくても機械加工用の工具を取り出せる場合は、フィレット部２５を省略してもよい。フィレット部２５を省略することにより、組立性をさらに向上させることができる。
【００７３】
図３に示すように、雌型端部は、その内周に、ねじ領域２３から自由端部４２に向けて延在する雌型外側リップ部をさらに備える。雌型外側リップ部は、第２の面２１と、雌型の第２の面２１から外側当接部４２に向けて延在する第２の終端部とを含む。雌型の第２の終端部は、
・  ５ｍｍ〜４０ｍｍの範囲の半径を有する凸状円環状面４３と、
・  雄型自由端部に向けて減少する直径を有し、変曲点４５を介して下記雌型外側シール面４６に繋がるテーパ部４４と、
・  凸状の円環状面、または雌型自由端部に向けて減少する直径を有するテーパ面である雌型外側シール面４６であって、図示する実施例において、２度〜１５度の範囲の円錐部半角を有するテーパ面であり、対応する雄型外側シール面３６に干渉・接触することができる雌型外側シール面４６と、
・  接続部の縦軸に垂直な線に対して正の角度αを有する当接面４２と、
を順に備える。正の角度は、三角法に基づく方向、すなわち時計回りの方向に向けられる。正の角度αは、５度〜４５度の範囲にある。この当接面は、対応する雄型外側当接面３７に接触することができる。接触圧を増加させて雄型当接面に対する雌型当接面４２の当接状態を維持するために、正の角度を用いることができる。
【００７４】
雌型外側リップ部は、部材Ｃ１およびＣ２の縦軸に沿って軸方向に測定される長さＬｅを有する。長さＬｅは、雌ねじ領域２３と当接面４２の遠位端部の頂点との間の最小距離である。雌ねじ領域２３を形成するための螺旋形の機械加工は、図１、図３および図６に示す進入部５２から開始される。進入部５２は、雌型の第２の面２１の雌ねじ領域２３を画定する。遠位当接面４２の側方に位置する進入部５２は、雌ねじ領域２３の外側端部を構成する。リップ部の長さＬｉは、進入部５２と雌型遠位当接面４２の頂点との間で測定される。
【００７５】
第２の面２１は、外側リング部を画定する。外側リング部は、円筒形であり得る。図示する一例において、第２の面２１は、部材Ｃ１およびＣ２の軸ならびに接続部の縦軸に平行な母線を有する。
【００７６】
第２の面２１に垂直な方向における外側リング部の厚さＥｐｅは、第２の面２１の全体に沿って一定である。これは、第２の面２１を画定することができることを意味する。
【００７７】
一定の厚さＥｐｅを有する部分は、長さＬｅの少なくとも３分の１にわたって、より好ましくは長さＬｅの少なくとも４５％にわたって、軸方向に距離Ｇｌｅを画定する。
【００７８】
代替的に、外側リング部が円筒形でない場合、本発明による厚さＥｐｅは、雌ねじ部２３と雌型外側シール面４４との間における最小厚さとなる。
【００７９】
特に、厚さＥｐｅは、雌型外側シール面４４に垂直な方向における半径方向の厚さＥｓｂより小さい。
【００８０】
図１および図３に示すような接続された状態において、外側当接部２２で干渉・接触、すなわち部材の相互貫入が生じる場合がある。また、フィレット面３６および４３が半径方向に干渉・接触する場合がある。この場合、より良好な気密性を提供することができる。
【００８１】
さらに、ねじに巻き込まれたグリースを収容するレリーフを形成するために、接続された状態において、第２の面２１および３４の間に半径方向の隙間が形成される。
【００８２】
フィレット部は、任意に選択される。
【００８３】
実施例
本出願人は、特に１２７ｍｍより大きく、４６０ｍｍ、好ましくは４０６．４ｍｍ（１６インチ）より小さい直径を有する大径ねじ接続部に関心を持っていた。このタイプの接続部は、引張力／圧縮力に加えて、高い内部圧力および高い外部圧力を受けやすい。その圧力レベルは、接続部の気密性を低下させる内側および外側リップ部の屈曲と大きな塑性変形とを生じさせる傾向がある。本発明による接続部において、引張強度も考慮された。
【００８４】
実際、引張負荷が大きすぎると、飛び出し現象が発生してねじを互いから分離させ、結果的に接続部の２つの部材を分離させる場合がある。技術的観点およびコストの面からこの結果は特に望ましくない。ねじ切り部がテーパ状の母線を有すると、一方のねじの飛び出しが接続部全体の分離を引き起こす場合があり、これは特に望ましくない。
【００８５】
したがって、本発明による接続部は、低い組立トルクを有し、ねじの位置に関係なく飛び出し現象の発生を減少させて、グリースのための適切な隙間を確保しながらシール面を正確に位置決めさせる。これらの隙間は、ねじ切り部の両側の面によって得ることができる。
【００８６】
好ましくは、本発明による接続部において、内側シール部は「重錐体」のタイプであり、外側シール部も「重錐体」のタイプである。
【００８７】
「重錐体」の接触は、様々な負荷を受けている間のシール面間の接触を安定させ、組立性を向上させるのに適した良好な構成を提供する。「重錐体」のシール面は、組立中の摩耗を低減させる。
【００８８】
「円環・円錐体」のシール面が用いられてもよい。これは、内部圧力の負荷による内側リップ部の屈曲の影響を補うために用いることができる。雄ねじ要素のシール面はわずかに回転するが、雄型内側シール面１５を構成する範囲が広いため、円環・円錐体の構成において接触状態を維持したまま、互換性のある雌型シール面に沿ってわずかに移動することができる。
【００８９】
雌型端部の最大外径は、雄型端部の最大外径より大きい。内径に関しては、雌型端部の内径は、雄型端部の最大内径より大きいといえる。
【００９０】
特に、本出願人らは、以下の結果を導き出した。
【００９１】
【表１】
2020514633.tif 000003
【００９２】
特に、本出願人らは、公称断面積が２００ｍｍより大きい、または２５０ｍｍより大きい管の外径に関して、Ｅｐｉ／Ｌｉの比を最適化して、このタイプの構成に対しては、Ｅｐｉ／Ｌｉの比が２５％以上であるよう選択した。
【００９３】
２００ｍｍを超える外径のパラメータと、１０ｍｍ〜２５ｍｍの範囲の管の壁厚（接続部からの距離）のパラメータとを組み合わせて、このタイプの構成に対してＥｐｉ／Ｌｉの比が２５％以上であるよう選択することで、上記最適化を行うことができる。
【００９４】
また、２００ｍｍを超える外径のパラメータ、１０ｍｍ〜２５ｍｍの範囲の管の壁厚（接続部からの距離）のパラメータ、および同一平面型の接続部のパラメータの３つのパラメータを組み合わせて、このタイプの構成に対してＥｐｉ／Ｌｉの比が２５％以上であるよう選択することでも、上記最適化を行うことができる。
【００９５】
特に、雄型内側リップ部は、次式を満たすよう構成される必要がある：
１０％≦Ｅｐｉ（ｍｍ）／Ｌｉ（ｍｍ）≦８０％
【００９６】
有利には、雌型外側リップ部は、次式を満たすよう構成される必要がある：
１０％≦Ｅｐｅ（ｍｍ）／Ｌｅ（ｍｍ）≦８０％
【００９７】
また、本発明は、接続部が受ける内部圧力および外部圧力に耐えることができるように、内側および外側リップ部の寸法決めを行う工程も含む。
【００９８】
雌ねじ領域２３は、山頂付近の軸方向長さが基部付近の軸方向長さより大きいねじを備える。雄ねじ領域１３は、山頂付近の軸方向長さが基部付近の軸方向長さより大きいねじを備える。本発明によるねじ切り部のスタブフランクの傾斜角は、接続部の軸に垂直な半径方向平面に対して測定したときに、正の角度を有する。本発明によるねじのロードフランクの傾斜角は、接続部の軸に垂直な半径方向平面に対して測定したときに、負の角度を有する。好ましい実施の形態において、ねじはダブテールプロファイル（外形）を有する。代替的に、ロードフランクの傾斜角は、スタブフランクの傾斜角と異なる。別の実施例において、雌ねじ領域２３のスタブフランクの傾斜角は、雄ねじ領域１３のスタブフランクの傾斜角に等しい。雌ねじ領域２３のロードフランクの傾斜角は、雄ねじ領域１３のロードフランクの傾斜角に略等しい。
【００９９】
本発明によるねじ切り部は、山頂と、谷底と、ロードフランクと、スタブフランクとを備える。フランクと山頂との間およびフランクと谷底との間に、フィレット半径部が設けられる。山頂および谷底の幅は、管の軸に沿った対応するねじの位置に従って変動する。この幅Ｌは、定数をＬ０およびＡ、軸に沿った位置をｘとすると、Ｌ＝Ｌ０＋Ａｘによって求めることができる。幅は、本発明による接続部の軸に平行な方向で測定される。ねじ切り部がテーパ状であるために、山頂および谷底の直径は、管の軸に沿った対応するねじの位置に従って変動する。ねじの山頂および谷底は、ねじ接続部の軸に平行である。これにより、機械加工および組立時の係合が容易になる。
【０１００】
雄ねじ領域１３は、雄型端部の終端部に最も近い歯の幅に対応する値から、該終端部から最も遠い歯の幅に対応する値まで歯の幅が増加する始部を有してもよい。この場合、雌ねじ領域２３の歯の幅は、雌型端部の終端部から最も遠い歯の幅に対応する値から、該終端部に最も近い歯の幅に対応する値まで減少する。これにより、組立中に、ねじ領域１３および２３は、それぞれのスタブフランクの間に軸方向の隙間を形成しながら協動することができる。
【０１０１】
雄型端部の終端部に最も近い歯の幅と、雌型端部の終端面から最も遠い歯の幅との比は、絶対値で０．１〜０．８の範囲であればよい。
【０１０２】
本発明によるねじ切り部は、変動するねじ幅を有する。組立後の接続された状態において、それぞれのスタブフランクの間に軸方向の隙間が形成される。また、接続された状態において、ねじの谷底と山頂との間に半径方向の隙間が形成される。
【０１０３】
ねじのロードフランクは、本発明の説明におけるすべての角度に対しても用いられる三角法に基づいて、負の角度を有する。ねじのスタブフランクは、正の角度を有する。外側当接部は、シール面を正確に位置決めさせる。
【０１０４】
ねじ切り部は、ねじ切り部に沿って増加する歯幅を有する。実際、雄ねじの谷底は、管の内側に向けて増加する幅を有し、雄ねじの山頂は、その逆方向に延在する。雌型のねじ切り部において、その逆も同様である。
【０１０５】
接続された状態（組立後）において、雄ねじ領域１３のねじ切り部の山頂と雌ねじ領域２３のねじ切り部の谷底との間に半径方向の隙間が形成される。半径方向の隙間は、０．０５ｍｍ〜０．５ｍｍ程度である。接続された状態における半径方向の隙間の寸法は、所望のグリース量および機械加工公差に応じて選択されてもよい。機械加工が高品質である場合、０．１５ｍｍ以下の隙間が望ましい。
【０１０６】
接続された状態（組立後）において、雄ねじ領域および雌ねじ領域のそれぞれのねじのスタブフランクの間に軸方向の隙間が形成される。軸方向の隙間は、０．００２ｍｍ〜１ｍｍ程度である。接続された状態における軸方向の隙間は、所望のグリース量、フランクの角度および機械加工公差に応じて選択されてもよい。機械加工が正確に制御され且つフランク角度が絶対値で５度以下である場合、０．０５ｍｍ以下の隙間が望ましい。ロードフランクは、接続された状態において締付力を受ける。
【０１０７】
雌ねじ領域２３のねじのロードフランクは、雄ねじ領域１３のねじの対応する傾斜したロードフランクと干渉するように、半径方向平面に対して傾斜している。これは、特に引張負荷を受けている間に弾性変形される接続部の強度を、内部圧力の有無に関係なく向上させる。それぞれのねじ切り部の間の連結状態を維持するために、この位置における干渉は、半径方向の干渉である。ねじ切り部は、互いに半径方向の保持フックを形成する。雌型のフランクと同様に、雄型のロードフランクの傾斜角は、−１度〜−１５度の範囲にある。−１度を超えると、半径方向の保持効果が弱くなる。−１５度を下回ると、圧縮強度に影響を与える場合がある。好ましい範囲は、−３度〜−５度である。雄型および雌型のロードフランクの傾斜角の差は、±３度の範囲で許容され得る。
【０１０８】
雌ねじ領域２３のねじのスタブフランクは、雄ねじ領域１３のねじの対応する傾斜したスタブフランクと干渉するように、半径方向平面に対して傾斜している。これは、特に引張負荷を受けている間に弾性変形される接続部の強度を、内部圧力の有無に関係なく向上させる。それぞれのねじ切り部の間の連結状態を維持するために、該干渉は、半径方向の干渉である。ねじ切り部は、互いに半径方向の保持フックを形成する。雌型のフランクと同様に、雄型のロードフランクの傾斜角は、１度〜１５度の範囲にある。１度を下回ると、半径方向の保持効果が弱くなる。１５度を超えると、圧縮強度に影響を与える場合がある。好ましい範囲は、３度〜５度である。雄型および雌型のロードフランクの傾斜角の差は、±３度の範囲で許容され得る。
【０１０９】
雄型および雌型のスタブフランクの傾斜角は、雄型および雌型のロードフランクの傾斜角に等しくてもよく、例えば±３度の範囲で異なっていてもよい。
【０１１０】
フィレット部の半径は、０．００５ｍｍ〜３ｍｍの範囲であればよい。丸みを帯びたフィレット半径部は、ロードフランクの底部での応力の集中を減少させて、本発明による接続部の疲労耐性を向上させる。
【０１１１】
雌ねじ領域２３および雄ねじ領域２３は、多条ねじ、好ましくは二条ねじから構成される。これにより、より早く組立を行うことができる。
【０１１２】
好ましくは、フランクはダブテールプロファイルを有する。ダブテールねじの幾何学的形状は、軸方向の幅がねじの基部から山頂に向けて規則的に減少するねじと比較して、組立時の半径方向の剛性を向上させる。
【０１１３】
フランクは、台形状のプロファイルを有してもよい。それぞれのスタブフランクの間の軸方向の隙間は、０．００２ｍｍ〜１ｍｍの範囲であればよく、好ましくは０．０５〜０．５ｍｍの範囲にある。
【０１１４】
半径方向の隙間は、第１の部材のねじの谷底および／または第１の部材のねじの山頂に形成されてもよい。半径方向の隙間は、０．０５ｍｍ〜０．５ｍｍの範囲であればよく、好ましくは０．０５ｍｍ〜０．１５ｍｍの範囲にある。
【０１１５】
ロードフランクは、−１度〜−１５度の範囲の角度を有すればよく、好ましくは−３度〜−５度の範囲の角度を有する。スタブフランクは、１度〜１５度の範囲の角度を有すればよく、好ましくは３度〜５度の範囲の角度を有する。ロードフランクは、スタブフランクと異なる角度を有してもよい。
【０１１６】
本発明は、単に一例として上述した接続部および管の実施例に限定されず、当業者が添付の特許請求の範囲内であると想定することができるすべての変形例を包含する。
【図１】
2020514633.tif 000004
【図２】
2020514633.tif 000005
【図３】
2020514633.tif 000006
【図４】
2020514633.tif 000007
【図５】
2020514633.tif 000008
【図６】
2020514633.tif 000009
【図７】
2020514633.tif 000010
【図８】
2020514633.tif 000011
【国際調査報告】
2020514633.tif 000012
2020514633.tif 000013
2020514633.tif 000014
2020514633.tif 000015
2020514633.tif 000016
2020514633.tif 000017
2020514633.tif 000018
2020514633.tif 000019